(57)【特許請求の範囲】
【請求項１】
電気機器本体を収容したケースと、前記電気機器本体と共に前記ケース内に収容されて、該ケース内に構成された回路を流れる交流電流を計測するように設けられた変流器と、
前記変流器の二次コイルの一端に接続された接触子及び該二次コイルの他端に接続された接触子を含む複数の雄形接触子を有して前記ケースの外側から差し込みプラグを差し込み得るようにして前記ケースに取り付けられたコンセントとを備え、前記コンセントは、前記差し込みプラグを差し込むための空所を内側に有する金属製のハウジングの前記空所内に前記複数の雄形接触子を前記コンセントの中心軸線を取り囲む円周に沿って環状に並べて配置した状態で前記ハウジングに絶縁材を介して支持した構造を有して、各変流器の出力が前記コンセントと該コンセントに差し込まれる差し込みプラグとを通して外部に取り出される変流器内蔵型電気機器において、
前記差し込みプラグが外された状態にある前記コンセントに差し込まれて、前記コンセントの複数の雄形接触子相互間を短絡する短絡プラグを備え、
前記短絡プラグは、前記コンセントの複数の雄形接触子をそれぞれ受け入れる複数の接触子受け入れ孔を有して、前記複数の接触子受け入れ孔内にそれぞれ複数の雄形接触子を受け入れた状態で前記コンセントのハウジングの空所内に差し込まれるように形成されて、前記複数の接触子受け入れ孔を取り囲む環状の溝が外周部に形成された絶縁樹脂製のプラグ本体と、該プラグ本体の環状の溝内に挿入された弾性を有するリング状のコンタクト導体とを備え、
前記環状の溝は、その内周寄りの部分が前記複数の接触子受け入れ孔を横切るように設けられて、前記環状の溝内に挿入されたコンタクト導体の一部が前記複数の接触子受け入れ孔内に挿入され、
前記コンタクト導体が前記接触子受け入れ孔内に受け入れられた前記コンセントの複数の雄形接触子に外側から接触して該複数の雄形接触子相互間を短絡するように構成されていること、
を特徴とする変流器内蔵型電気機器。
【請求項２】
前記コンタクト導体は、弾性を有する裸導線をコイル状に巻回してなるリング状バネからなっている請求項１に記載の変流器内蔵型電気機器。
【請求項３】
前記コンセントは、前記短絡プラグが内部に差し込まれた状態にある前記ハウジングの開口端にネジ結合されて該ハウジングの開口部を閉じる防水キャップを備えていること、
を特徴とする請求項１または２に記載の変流器内蔵型電気機器。
【請求項４】
電気機器本体を収容したケースと、前記電気機器本体と共に前記ケース内に収容されて、該ケース内に構成された回路を流れる交流電流を計測するように設けられた変流器と、
前記変流器の二次コイルの一端に接続された接触子及び該二次コイルの他端に接続された接触子を含む複数の雄形接触子を有して前記ケースの外側から差し込みプラグを差し込み得るようにして前記ケースに取り付けられたコンセントとを備えて、前記コンセントが、前記差し込みプラグを差し込むための空所を内側に有する金属製のハウジングの前記空所内に前記複数の雄形接触子を前記コンセントの中心軸線を取り囲む円周に沿って環状に並べて配置した状態で前記ハウジングに絶縁材を介して支持した構造を有し、前記コンセントと該コンセントに差し込まれる差し込みプラグとを通して各変流器の出力が外部に取り出される変流器内蔵型電気機器の前記コンセントから差し込みプラグが外されているときに前記変流器を保護するために前記差し込みプラグに代えて前記コンセントに差し込まれる変流器保護用短絡プラグであって、
前記コンセントの複数の雄形接触子をそれぞれ受け入れる複数の接触子受け入れ孔を有して、前記複数の接触子受け入れ孔内にそれぞれ複数の雄形接触子を受け入れた状態で、
前記コンセントのハウジングの空所内に差し込まれるように形成されて、前記複数の接触子受け入れ孔を取り囲む環状の溝が外周部に形成された絶縁樹脂製のプラグ本体と、
前記プラグ本体の外周部に形成された環状の溝内に挿入された弾性を有するリング状のコンタクト導体と、
を備え、
前記プラグ本体の環状の溝は、その内周寄りの部分が前記複数の接触子受け入れ孔を横切るように設けられて、前記環状の溝内に挿入されたコンタクト導体の一部が前記複数の接触子受け入れ孔内に挿入され、
前記プラグ本体が前記コンセントに差し込まれた際に、前記コンタクト導体が前記接触子受け入れ孔内に受け入れられたコンセントの複数の雄形接触子に外側から接触して、該複数の雄形接触子相互間を短絡するように構成されていること、
を特徴とする変流器保護用短絡プラグ。
【請求項５】
前記コンタクト導体は、弾性を有する裸導線をコイル状に巻回してなるリング状バネからなっている請求項４に記載の変流器保護用短絡プラグ。
【発明の詳細な説明】
【技術分野】
【０００１】
本発明は、電気機器本体を収容したケース内に変流器が内蔵された変流器内蔵型電気機器及び該電気機器内の変流器を保護するために用いられる変流器保護用短絡プラグに関するものである。
【背景技術】
【０００２】
ケース内に電気機器本体が収容された電気機器において、ケース内に構成された回路を流れる交流電流を計測する必要がある場合には、電気機器本体を収容したケース内に変流器を設けて、該変流器の出力を、コンセントと、該コンセントに差し込まれたプラグとを通して外部に取り出すようにしている。
【０００３】
例えば、配電系統に設置される区分開閉器や、路上設置変圧器装置の外箱内に設けられる開閉器においては、開閉器本体を収容したケース内に少なくとも２相の線路電流を検出する変流器を収容して、各変流器の二次側をケースに取り付けたメタルコンセントの接触子に接続し、表示器等の外部機器につながる計測用ケーブルの一端に取り付けられた差し込みプラグをメタルコンセントに接続することにより、各変流器の出力を外部に取り出して表示器等の機器に供給すようにしている。
【０００４】
周知のように、変流器は、測定しようとする電流を流す一次導体と、該一次導体を流れる電流により生じる磁束を流すコアと、該コアに巻回された二次コイルとを備えたもので、一次導体としてコアを貫通した状態で配置される貫通導体を用いる貫通形のものと、一次導体としてコアに巻回されたコイルを用いる巻線型のものとがある。貫通形の変流器には、コアを貫通させて専用の貫通導体を設けたものと、測定の対象とする電流が流れる導体そのものを貫通導体として用いるものとがある。電力回路において、大電流を計測する場合には、殆どの場合、貫通形の変流器が用いられるが、本発明が対象とする電気機器に内蔵される変流器はいずれの形式のものでも良い。いずれの形式の変流器でも、大電流を計測する場合には、一次導体に通電した状態で、その二次側がオープン状態にされると、二次コイルに過電圧が発生して、変流器が焼損したり、感電事故を招いたりするおそれがあるため、変流器の二次側をオープン状態にすることは避けなければならない。そのため、変流器により交流電流を計測する際には、その二次側に負担抵抗を接続して、該負担抵抗の両端の電圧から一次側を流れる電流を検出するようにしている。一般には、表示器等の外部機器側に負担抵抗を備えた測定回路を設けて、該測定回路を計測用ケーブルを通して変流器に接続することにより、変流器の二次側がオープン状態にされるのを防いでいる。
【０００５】
上記のように、電気機器内に設けられた変流器が計測用ケーブルを通して測定回路に接続されている状態では、通常変流器がオープン状態にされることはないが、電気機器が外部機器と切り離されて単独で使用されることが想定される場合、例えば、電気機器が外部機器の設置に先行して設置されて運転されることが想定される場合には、変流器の二次側がオープン状態にされた場合に備えて、何らかの保護手段を設けておく必要がある。また変流器が計測用ケーブルを通して測定回路に接続されている場合でも、測定回路が故障するなどして負担抵抗が変流器から切り離されることが想定される場合には、変流器の二次側がオープン状態にされた場合に備えて保護手段を設けておく必要がある。
【０００６】
そこで、特許文献１に示されているように、変流器の二次側にダイオードブリッジ全波整流回路と、該整流回路の出力端子間に接続されたトランジスタと、該整流回路の出力電圧が設定値を超えたときに導通してトランジスタにベース電流を流すツェナーダイオードとを備えた保護回路を接続して、変流器の二次側に過電圧が発生したときにツェナーダイオードを導通させてトランジスタをオン状態にすることにより、変流器の二次側を短絡するようにした保護装置が提案されている。
【０００７】
また、特許文献２に示されているように、変流器の二次コイルの両端に、電流検出器と避雷器との直列回路と、電流検出器が電流を検出したときに閉じる短絡用接点とを並列に接続して、変流器の二次側に過電圧が発生したときに避雷器を動作させて電流検出器に電流を流すことにより短絡用接点を閉成させて、変流器の二次側を短絡するようにした保護装置も提案もなされている。
【特許文献１】特開平１０−２７４６６３号公報
【特許文献２】特開２００７−３５８０８号公報
【発明の開示】
【発明が解決しようとする課題】
【０００８】
特許文献１に示された保護装置によった場合には、多数設けられたダイオードの内の一つでも破損すると、保護動作が行われなくなるため、信頼性に不安があるという問題があった。
【０００９】
また特許文献２に示された保護装置によった場合には、電気機器のケース内に配置された各変流器毎に避雷器と電流検出器及び短絡用接点とを設ける必要があるため、電気機器のケース内の構造が複雑になるだけでなく、電気機器のコストが高くなるのを避けられなかった。
【００１０】
なお変流器を備えた電気機器を単独で使用する場合にも、電気機器のケースなどに取り付けたコンセントに差し込みプラグを介して計測用ケーブルを接続しておいて、該計測用ケーブルのコンセントから離れた側の端末部に、変流器の二次側を短絡する短絡片を接続しておくことが行われているが、この場合は、電気機器を単独で使用する際にも計測用ケーブルを接続しておかなければならず、煩わしいという問題があった。
【００１１】
本発明の目的は、電気機器本体を収容したケースと、電気機器本体と共にケース内に収容されて、該ケース内に構成された回路を流れる交流電流を計測する変流器とを備えた変流器内蔵型電気機器において、信頼性を損なうことなく、且つコストの上昇を招くことなく、変流器の保護を図ることができるようにすることにある。
【００１２】
本発明の他の目的は、変流器内蔵型電気機器において、信頼性を損なうことなく、且つコストの上昇を招くことなく、変流器の保護を図るために、変流器内蔵型電気機器のケースに設けられたコンセントに接続して用いる変流器保護用短絡プラグを提供することにある。
【課題を解決するための手段】
【００１３】
本発明は、電気機器本体を収容したケースと、前記電気機器本体と共に前記ケース内に収容されて、該ケース内に構成された回路を流れる交流電流を計測するように設けられた変流器と、前記変流器の二次コイルの一端に接続された接触子及び該二次コイルの他端に接続された接触子を含む複数の接触子を有して前記ケースの外側から差し込みプラグを差し込み得るようにして前記ケースに取り付けられたコンセントとを備えて、各変流器の出力が前記コンセントと該コンセントに差し込まれる差し込みプラグとを通して外部に取り出される変流器内蔵型電気機器を対象とする。
【００１４】
本発明においては、差し込みプラグが外された状態にあるコンセントに差し込まれて、コンセントの複数の接触子相互間を短絡する短絡プラグを設けた。
【００１５】
上記のように、差し込みプラグが外された状態にあるコンセントに差し込まれて、コンセントの複数の接触子相互間を短絡する短絡プラグを設けておくと、コンセントに計測用ケーブルを接続することなく、電気機器内に設けられた変流器の二次側を短絡した状態に保持することができるため、変流器を内蔵した電気機器を長期間安定して単独使用することができる。
【００１６】
上記コンセントとしては、差し込みプラグを差し込むための空所を内側に有する金属製のハウジングの空所内に、複数の雄形接触子を、コンセントの中心軸線を取り囲む円周に沿って環状に並べて配置して、該複数の雄形接触子をハウジングに絶縁材を介して支持した構造を有する、いわゆるメタルコンセントが用いられることが多い。
【００１７】
このようなコンセントが用いられる場合、短絡プラグは、コンセントの複数の雄形接触子をそれぞれ受け入れる複数の接触子受け入れ孔を有して、複数の接触子受け入れ孔内にそれぞれ複数の雄形接触子を受け入れた状態で、コンセントのハウジングの空所内に差し込まれるように形成されて複数の接触子受け入れ孔を取り囲む環状の溝が外周部に形成された絶縁樹脂製のプラグ本体と、該プラグ本体の環状の溝内に挿入された弾性を有するリング状のコンタクト導体とを備えた構造を有するものを用いることが好ましい。この場合、プラグ本体の外周に設ける環状の溝は、その内周寄りの部分が複数の接触子受け入れ孔を横切るように設けられて、環状の溝内に挿入されたコンタクト導体の一部が複数の接触子受け入れ孔内に挿入され、コンタクト導体が接触子受け入れ孔内に受け入れられたコンセントの複数の雄形接触子に外側から接触して該複数の雄形接触子相互間を短絡する。
【００１８】
上記のように短絡プラグを構成すると、プラグ本体を絶縁樹脂で成形すれば良く、また複数の雄形接触子を短絡するコンタクト導体として、１つのリング状のコンタクト導体を設けておけばよいため、短絡プラグの構造を簡単にして、そのコストの低減を図ることができる。
【００１９】
上記コンタクト導体は、弾性を有する裸導線をコイル状に巻回してなるリング状バネからなっていることが好ましい。
【００２０】
上記のコンタクト導体は、弾性を有する裸導線をコイル状に巻回するだけで構成できる。従って、上記のようなコンタクト導体を用いると、短絡プラグのコストの低減を図ることができる。
【００２１】
上記コンセントは、短絡プラグが内部に差し込まれた状態にあるハウジングの開口端にネジ結合されて該ハウジングの開口部を閉じる防水キャップを備えていることが好ましい。
【００２２】
上記のようにコンセントに防水キャップを取り付けることができるようにしておけば、短絡プラグのコンタクト導体とコンセントの雄形接触子との接続部の防水を図ることができるため、コンタクト導体及び雄形接触子の腐食を防いで、変流器の二次側を短絡した状態を長期に亘って安定に維持することができる。
【００２３】
本発明によればまた、電気機器本体と、該電気機器本体を流れる交流電流を計測するように設けられた少なくとも一つの変流器と、各変流器の二次コイルの一端に接続された接触子及び該二次コイルの他端に接続された接触子を含む複数の接触子を有するコンセントとを備えて、コンセントが、差し込みプラグを差し込むための空所を内側に有する金属製のハウジングの空所内に複数の雄形接触子をコンセントの中心軸線を取り囲む円周に沿って環状に並べて配置した状態でハウジングに絶縁材を介して支持した構造を有して、各変流器の出力がコンセントと該コンセントに差し込まれる差し込みプラグとを通して外部に取り出される電気機器のコンセントから差し込みプラグが外されているときに変流器を保護するために、差し込みプラグに代えてコンセントに差し込まれる変流器保護用短絡プラグが提供される。
【００２４】
本発明に係わる短絡プラグは、コンセントの複数の雄形接触子をそれぞれ受け入れる複数の接触子受け入れ孔を有して、複数の接触子受け入れ孔内にそれぞれ複数の雄形接触子を受け入れた状態でコンセントのハウジングの空所内に差し込まれるように形成されたプラグ本体を備えており、プラグ本体の外周部には、複数の接触子受け入れ孔を取り囲む環状の溝が形成されている。プラグ本体の外周部に設けられた環状の溝は、その内周寄りの部分が複数の接触子受け入れ孔を横切るように設けられて、該環状の溝内に弾性を有するリング状のコンタクト導体が挿入されている。コンタクト導体は、その一部が複数の接触子受け入れ孔内に挿入された状態にあり、プラグ本体がコンセントに差し込まれた際に、コンタクト導体が接触子受け入れ孔内に受け入れられたコンセントの複数の雄形接触子に外側から接触して、該複数の雄形接触子相互間を短絡するように構成されている。
【発明の効果】
【００２５】
本発明によれば、差し込みプラグが外された状態にあるコンセントに差し込まれて、コンセントの複数の接触子相互間を短絡する短絡プラグを設けたので、コンセントに計測用ケーブルを接続することなく、電気機器に内蔵された変流器の二次側を短絡した状態に保持することができ、変流器を内蔵した電気機器を長期間安定して単独使用（変流器を用いない状態で使用）することができる。
【００２６】
本発明において、コンセントの複数の雄形接触子をそれぞれ受け入れる複数の接触子受け入れ孔を有して、複数の接触子受け入れ孔内にそれぞれ複数の雄形接触子を受け入れた状態でコンセントのハウジング内に差し込まれるように形成された絶縁樹脂製のプラグ本体と、該プラグ本体の外周部に形成された環状の溝内に挿入されたリング状のコンタクト導体とを備えて、プラグ本体がコンセントに差し込まれた際に、コンタクト導体が接触子受け入れ孔内に受け入れられたコンセントの複数の雄形接触子に外側から接触して、該複数の雄形接触子相互間を短絡するように短絡プラグを構成した場合には、プラグ本体を絶縁樹脂により安価に構成できるだけでなく、複数の雄形接触子を短絡するコンタクト導体として、１つのリング状のコンタクト導体を設けておけばよいため、短絡プラグの構造を簡単にして、そのコストの低減を図ることができる。
【００２７】
本発明において、短絡プラグのコンタクト導体として、弾性を有する裸導線をコイル状に巻回してなるリング状バネを用いた場合には、コンタクト導体を簡単に構成できるため、短絡プラグのコストの低減を図ることができる。
【００２８】
本発明において、短絡プラグが内部に差し込まれた状態にあるコンセントのハウジングの開口端にネジ結合されて該ハウジングの開口部を閉じる防水キャップを設けた場合には、短絡プラグのコンタクト導体とコンセントの雄形接触子との接続部の防水を図ることができるため、コンタクト導体及び雄形接触子の腐食を防いで、変流器の二次側を短絡した状態を長期に亘って安定に維持することができる。
【発明を実施するための最良の形態】
【００２９】
以下図面を参照して本発明の好ましい実施形態を詳細に説明する。図１ないし図７は本発明の好ましい実施形態の一例を示したもので、図１は電気機器の電気的な構成を示した回路図、図２は本実施形態に係わる電気機器のコンセントに短絡プラグを接続した状態を示した断面図、図３は図２のIII−III線断面図、図４は本実施形態で用いるコンセントと該コンセントに差し込まれる短絡プラグと該コンセントに取り付けられる防水キャップとを示した断面図、図５は図４のＶ−Ｖ線断面図、図６は本実施形態でコンタクト導体として用いるリング状バネを示した斜視図、図７は本実施形態で用いるコンタクト導体の変形例を示した斜視図である。
【００３０】
本実施形態に係わる電気機器は、配電系統において、電柱に設置されて高圧配電線に直列に挿入される区分開閉器である。図１に示した区分開閉器においては、Ｕ，Ｖ，Ｗ三相の開閉部１ｕないし１ｗを有する開閉器（電気機器本体）１と、開閉器１の三相の開閉部１ｕないし１ｗにそれぞれ直列に接続された導体２ｕないし２ｗと、導体２ｕないし２ｗをそれぞれ一次導体とするように設けられて導体２ｕないし２ｗを通して流れるＵ相ないしＷ相の線路電流を測定する貫通型の変流器ＣＴｕないしＣＴｗと、導体２ｕないし２ｗを一括して取り囲むコアに二次コイルを巻回した構造を有して、導体２ｕないし２ｗを通して流れる零相電流を測定する零相変流器ＺＣＴとがケース３内に収容されている。ケース３の側壁には、メタルコンセント４が、外部から差し込みプラグ（図示せず。）を差し込むことができるようにして、取り付けられている。
【００３１】
図１、図２及び図３に示されているように、メタルコンセント４は、差し込みプラグ（図示せず。）を差し込むための断面がほぼ円形を呈する空所４０１ａを内側に有し、中間部にフランジ４０１ｂを有する円筒状のメタルハウジング４０１と、メタルハウジング４０１の内側の空所４０１ａ内に配置されてメタルハウジング４０１に絶縁支持物４０３を介して支持された雄形接触子４０２ａないし４０２ｆと、メタルハウジング４０１の開口端の外周に設けられたネジ部４０４に螺合されるネジ部４０５を内周に有する防水キャップ４０６（図４参照）とを備えている。
【００３２】
雄形接触子４０１ａないし４０２ｆの内、５個の雄形接触子４０１ａないし４０１ｅは、それぞれの軸線をメタルハウジング４０１の中心軸線と平行な方向に向けて、メタルハウジングの中心軸線を同心的に取り囲む円周に沿って環状に並べた状態で（正五角形の頂点に位置させた状態で）配置され、他の一つの雄形接触子４０１ｆはその軸線をメタルハウジング４０１の中心軸線に一致させた状態で配置されている。雄形接触子４０１ａないし４０１ｆは、メタルハウジング４０１の内周に固定された円板状の絶縁支持物４０３を貫通した状態で設けられて、該絶縁支持物を介してメタルハウジングに支持されている。メタルハウジング４０１の内周の一部には、図示しない差し込みプラグを差し込む際に該差し込みプラグの外周に設けられた溝に嵌合して該差し込みプラグを周方向に位置決めする突起４０７が形成されている。また防水キャップ４０６の内側には、該キャップをメタルハウジングの開口端にネジ結合した際にメタルハウジングの端部とキャップ４０６の内面との間に介在してキャップ４０６とメタルハウジングとの結合部の液密を図るＯリング４０８が取り付けられている。図示のメタルコンセント４は、電気機器のケース３の側壁に設けられた取り付け孔３０１を貫通した状態で配置されて、そのフランジ４０１ｂがケース３の側壁にネジ（図示せず。）で締結されることにより、ケース３に固定されている。
【００３３】
本実施形態では、変流器ＣＴｕないしＣＴｗの二次コイルＬ2uないしＬ2wの一端、及び零相変流器ＺＣＴの二次コイルＬ2zの一端が一つの雄形接触子４０２ｄに電線５を通して接続され、変流器ＣＴｕないしＣＴｗの二次コイルＬ2uないしＬ2wの他端及び零相変流器ＺＣＴの二次コイルＬ2zの他端がそれぞれ個別の電線５を通して雄形接触子４０２ａ，４０２ｂ，４０２ｃ及び４０２ｅに接続されている。コンセントの中央の雄形接触子４０２ｆはいずれの変流器にも接続されない遊びの接触子とされている。
【００３４】
本発明において用いるコンセントにおいて、雄形接触子の数は、ケース３内に配置される変流器の数に応じて適宜に設定され、図示の例に限定されないが、本発明においては、変流器を保護する際に、コンセントのハウジング内に環状に配置された雄形接触子を相互に短絡することにより、各変流器の二次側を短絡する構成をとるので、一連の変流器の二次コイルの両端は、コンセントのハウジング内に環状に配置される雄形接触子（本実施形態では４０２ａないし４０２ｅ）の何れかに接続しておく。即ち、コンセントのハウジング４０１内に環状に配置される雄形接触子を、ケース３内に配置される変流器の数に応じて、必要な数だけ設けておく。
【００３５】
変流器ＣＴｕないしＣＴｗの出力及び零相変流器ＺＣＴの出力を外部の測定回路に供給する場合には、メタルコンセント４に計測用ケーブルの端末に取り付けられた図示しない差し込みプラグが差し込まれ、メタルコンセント４の雄形接触子４０１ａないし４０１ｆが差し込みプラグに設けられた対応する雌型接触子に接触させられる。
【００３６】
本発明においては、コンセント４から差し込みプラグ（図示せず。）が外された状態にあるときに、差し込みプラグの代りにコンセント４に差し込まれて、コンセント４の環状に配置された複数の雄形接触子４０２ａないし４０２ｅ相互間を短絡する変流器保護用短絡プラグ６が設けられる。
【００３７】
本実施形態で用いる短絡プラグ６は、絶縁樹脂の成形品からなるプラグ本体６００を備えている。図示のプラグ本体６００は、コンセント４のハウジング４０１の空所４０１ａ内に差し込むことができるようにほぼ円柱状に形成されていて、その外周の一部には軸線方向に延びる溝６００ａが形成され、その一端にはつまみ６０１が形成されている。溝６００ａは、コンセント側に設けられた突起４０７を嵌合させるために設けられている。プラグ本体６００には、コンセント４の複数の雄形接触子４０２ａないし４０２ｆをそれぞれ受け入れる複数の接触子受け入れ孔６０２ａないし６０２ｆが設けられていて、これら複数の接触子受け入れ孔６０２ａないし６０２ｆ内にそれぞれコンセントの複数の雄形接触子４０２ａないし４０２ｆを受け入れた状態で、プラグ本体６００がコンセント４のハウジング４０１の空所４０１ａ内に差し込まれるようになっている。
【００３８】
プラグ本体６００の外周には、環状に配置された接触子受け入れ孔６０２ａないし６０２ｅを取り囲む環状の溝６０３が周設され、この溝６０３内に弾性を有するリング状のコンタクト導体６０５が挿入されている。環状の溝６０３は、その内周寄りの部分が複数の接触子受け入れ孔６０２ａないし６０２ｅを横切るように設けられ、環状の溝６０３内に挿入されたコンタクト導体６０５の内周寄りの部分が複数の接触子受け入れ孔６０２ａないし６０２ｅ内に挿入されている。
【００３９】
本実施形態で用いているコンタクト導体６０５は、図６に示されているように、弾性を有する裸導線をコイル状に巻回して形成したリング状バネからなっていて、プラグ本体６００がコンセントの内側に差し込まれた際に、コンタクト導体６０５が、接触子受け入れ孔６０２ａないし６０２ｅ内に受け入れられたコンセントの複数の雄形接触子４０２ａないし４０２ｅに外側から接触して、該複数の雄形接触子雄形接触子４０２ａないし４０２ｅ相互間を短絡する。
【００４０】
上記のように短絡プラグ６をコンセント４に差し込むと、コンタクト導体６０５により、変流器の二次側が接続された一連の雄形接触子４０２ａないし４０２ｅが相互に短絡されて、各変流器の二次コイルの両端が短絡された状態に保持されるため、各変流器の保護が図られる。
【００４１】
図示の例では、短絡プラグ６をコンセントに接続した後、コンセント４に防水キャップ４０６を取り付けた際に、プラグ本体６００の一端に設けられたつまみ６０１が防水キャップ４０６の内面に当接して、短絡プラグ６をコンセント４に対して固定するように、つまみ６０１の長さが設定されている。このように構成しておくと、コンセントに差し込まれた短絡プラグ６が軸線方向に動いて、コンタクト導体６０５と雄形接触子４０２ａないし４０２ｅとの接触状態が不安定になるのを防ぐことができる。
【００４２】
上記の説明では、リング状のバネからなるコンタクト導体６０５を用いたが、本発明はこのようなコンタクト導体を用いる場合に限定されるものではない。例えば、上記コンタクト導体６０５に代えて、図７に示すように、弾性を有する導電性の帯板を円形に成形したリング状導体からなるコンタクト導体６０５′を用いても良い。
【００４３】
上記の説明では、電気機器が屋外に設置される区分開閉器であるとしたため、メタルコンセント４に防水キャップ４０６を設けたが、路上設置変圧器の外箱内に配置される変流器内蔵形の開閉器のように、風雨に曝されることがない電気機器の場合には、コンセントに防水性を持たせる必要はない。
【００４４】
上記の説明では、電気機器の本体が開閉器である場合を例にとったが、開閉器に限らず、電気機器本体を収容したケース内に変流器が内蔵される場合に広く本発明を適用することができる。
【図面の簡単な説明】
【００４５】
【図１】本発明の実施形態に係わる電気機器の電気的な構成を示した回路図である。
【図２】本実施形態に係わる電気機器のコンセントに短絡プラグを接続した状態を示した断面図である。
【図３】図２のIII−III線断面図である。
【図４】本実施形態で用いるコンセントと該コンセントに差し込まれる短絡プラグと該コンセントに取り付けられる防水キャップとを示した断面図である。
【図５】図４のＶ−Ｖ線断面図である。
【図６】本実施形態で短絡プラグのコンタクト導体として用いるリング状バネを示した斜視図である。
【図７】本実施形態で用いるコンタクト導体の変形例を示した斜視図である。
【符号の説明】
【００４６】
１  開閉器
ＣＴuないしＣＴw  変流器
ＺＣＴ  零相変流器
３  ケース
４  メタルコンセント
４０１  メタルハウジング
４０２ａないし４０２ｆ  雄形接触子
４０６  防水キャップ
６  短絡プラグ
６００  プラグ本体
６０１  つまみ
６０２ａないし６０２ｆ  接触子受け入れ孔
６０３  環状の溝
６０５，６０５′  コンタクト導体
【図１】
0005263936.tif 000002
【図２】
0005263936.tif 000003
【図３】
0005263936.tif 000004
【図４】
0005263936.tif 000005
【図５】
0005263936.tif 000006
【図６】
0005263936.tif 000007
【図７】
0005263936.tif 000008